(57)【要約】【課題】  ユーザが複数のデータのダビングを要求した時点で、複数のデータのダビング計画情報をユーザに知らせることのできるデータ記録装置を提供すること。【解決手段】  複数のデータ、および、複数のデータをそれぞれ管理するための複数の管理情報を格納するための第１の記録媒体と、第２の記録媒体に対してデータの読み書きが可能な駆動部とを備える。第１の記録媒体に格納されている複数のデータに含まれる２以上のデータを、第２の記録媒体に連続ダビングする場合に、２以上のデータの総容量を算出（Ｓ１０６）、および、第２の記録媒体の空き容量を取得（Ｓ１０８）する。そして、総容量と空き容量との比較を行ない（Ｓ１１０）、比較の結果、総容量が空き容量を上回っている場合に、ダビング計画情報を表示させる（Ｓ１１２でＹＥＳ，Ｓ１１８）。【選択図】        図３
2007012174.tif 000002
【特許請求の範囲】
【請求項１】
少なくとも１つの周期記録予約情報に基づく複数の番組データを格納するための第１の記録媒体と、
着脱可能な第２の記録媒体に対してデータの読み書きが可能な駆動手段と、
前記複数の番組データをそれぞれ管理するための複数の管理情報を格納する記憶部とを備え、
前記複数の管理情報は、各々、前記周期記録予約情報に対応する識別情報を含み、
前記第１の記録媒体に格納されている前記複数の番組データに含まれる２以上の番組データを、前記第２の記録媒体に連続ダビングするためのダビング手段と、
前記連続ダビングのための制御を行なうダビング制御手段とをさらに備え、
前記ダビング制御手段は、
前記複数の管理情報に含まれる識別情報のうちの１つをユーザに指定させるための指定手段と、
指定された前記識別情報を含む管理情報を検索するための検索手段と、
検索された前記管理情報に基づいて、対応する前記２以上の番組データの総容量を算出するための算出手段と、
装着された第２の記録媒体の空き容量を取得するための取得手段と、
前記総容量と前記空き容量との比較を行なうための比較手段と、
前記比較の結果、前記総容量が前記空き容量以下である場合には、前記２以上の番組データを前記装着された第２の記録媒体へ連続ダビングさせるための手段と、
前記比較の結果、前記総容量が前記空き容量を上回っている場合に、前記２以上の番組データ各々の容量と前記装着された第２の記録媒体の記録可能容量とに基づいて、前記２以上の番組データの、複数の第２の記録媒体への割り当てを決定するための決定手段と、
決定された前記割り当てに基づいて、ダビング計画情報を表示させるための手段と、
ユーザからの指示に応じて、前記割り当てに基づく前記２以上の番組データの連続ダビングを実行させるための実行手段とを含み、
前記実行手段は、
前記装着された第２の記録媒体へのダビングが終了した場合に、前記記録可能容量を有する新たな第２の記録媒体への交換を、ユーザに促すための手段と、
前記新たな第２の記録媒体が装着されたか否かを判断するための手段と、
前記新たな第２の記録媒体が装着されたと判断した場合に、前記割り当てに基づくダビングを続行させる手段とを有する、データ記録装置。
【請求項２】
複数のデータ、および、前記複数のデータをそれぞれ管理するための複数の管理情報を格納するための第１の記録媒体と、
第２の記録媒体に対してデータの読み書きが可能な駆動手段と、
ユーザからの指示に基づいて、前記第１の記録媒体に格納されている前記複数のデータに含まれる２以上のデータを、前記第２の記録媒体に連続ダビングするためのダビング手段と、
前記連続ダビングのための制御を行なうダビング制御手段とを備え、
前記ダビング制御手段は、
前記２以上のデータの総容量を算出するための算出手段と、
前記第２の記録媒体の空き容量を取得するための取得手段と、
前記総容量と前記空き容量との比較を行なうための比較手段と、
前記比較の結果、前記総容量が前記空き容量を上回っている場合に、ダビング計画情報を表示させるための表示手段とを含む、データ記録装置。
【請求項３】
前記第２の記録媒体は、着脱可能な記録媒体であり、
前記取得手段は、装着された第２の記録媒体の空き容量を取得し、
前記ダビング制御手段は、前記比較の結果、前記総容量が前記空き容量を上回っている場合に、前記２以上の番組データ各々の容量と前記装着された第２の記録媒体の記録可能容量とに基づいて、前記２以上の番組データの、複数の第２の記録媒体への割り当てを決定するための決定手段をさらに含み、
前記表示手段は、決定された前記割り当てに基づいて、前記ダビング計画情報を表示させる、請求項２に記載のデータ記録装置。
【請求項４】
前記ダビング制御手段は、ユーザからの指示に応じて、前記割り当てに基づく前記２以上のデータの連続ダビングを実行させるための実行手段をさらに含む、請求項３に記載のデータ記録装置。
【請求項５】
前記実行手段は、
前記装着された第２の記録媒体へのダビングが終了した場合に、前記記録可能容量を有する新たな第２の記録媒体が装着されたか否かを判断するための手段と、
前記新たな第２の記録媒体が装着されたと判断した場合に、前記割り当てに基づくダビングを続行させる手段とを有する、請求項４に記載のデータ記録装置。
【請求項６】
前記実行手段は、前記装着された第２の記録媒体へのダビングが終了した場合に、前記新たな第２の記録媒体への交換を、ユーザに促すための手段をさらに有する、請求項５に記載のデータ記録装置。
【請求項７】
前記ダビング制御手段は、前記比較の結果、前記総容量が前記空き容量以下である場合には、前記２以上の番組データを前記第２の記録媒体へ連続ダビングさせるための手段をさらに含む、請求項２に記載のデータ記録装置。
【請求項８】
前記複数の管理情報は、各々、識別情報を含み、
前記ダビング制御手段は、
前記複数の管理情報に含まれる識別情報のうちの１つをユーザに指定させるための指定手段と、
指定された前記識別情報を含む管理情報を検索するための検索手段とをさらに含み、
前記算出手段は、検索された前記管理情報に基づいて、対応する前記２以上のデータの総容量を算出する、請求項２に記載のデータ記録装置。
【請求項９】
前記第１の記録媒体に格納されている前記複数のデータは、少なくとも１つの周期記録予約情報に基づく番組データであり、
前記識別情報は、前記周期記録予約情報に対応する、請求項８に記載のデータ記録装置。
【発明の詳細な説明】
【技術分野】
【０００１】
本発明は、データ記録装置に関し、特に、一方の記録媒体に記録されたデータを他方の記録媒体へ再記録する（以下、「ダビング」という）ことのできるデータ記録装置に関する。
【背景技術】
【０００２】
近年、２以上の記録媒体を搭載したデータ記録装置が普及している。たとえば、大容量のハードディスク装置とＤＶＤ(Digital Versatile Disc）駆動装置とを搭載したデータ記録装置などが存在する。これにより、１つのデータ記録装置で、一方の記録媒体に記録されたデータを他方の記録媒体へダビングすることができる。
【０００３】
また、このような装置において複数のコンテンツを一括してダビングする技術が提案されている。
【０００４】
たとえば、特許文献１には、複数のコンテンツを可搬型の記録媒体へコピー（ダビング）する場合に、コピー先の可搬型記録媒体の空き容量が充分かどうかを判定し、充分でなければ、可搬型記録媒体の入れ替えを利用者に促すメッセージを表示することが開示されている。特許文献１の技術によると、可搬型記録媒体の空き容量が充分でなければ、ユーザに対して可搬型記録媒体の入れ替えを促す表示を行なうため、ユーザは、その表示に応じて可搬型記録媒体の入れ替えを行なうことができる。
【０００５】
また、特許文献２には、複数のコンテンツを連続してコピーする場合に、ユーザがダビングの順序を指定できることが開示されている。
【特許文献１】特開２００５−１１４７２号公報
【特許文献２】特開２００２−１１２１５０号公報
【発明の開示】
【発明が解決しようとする課題】
【０００６】
しかしながら、特許文献１の技術では、容量が不足した時点で、ユーザに対して可搬型記録媒体の入れ替えを促す表示を行なうため、ユーザは、ダビングを要求した時点ではどのように複数のコンテンツが各記録媒体に割り当てられるのかを把握することができない。
【０００７】
また、特許文献２には、ダビング先のテープの残量不足が生じた場合の処理については記載されていない。
【０００８】
本発明は、上記のような問題を解決するためになされたものであって、その目的は、ユーザが複数のデータのダビングを要求した時点で、複数のデータのダビング計画情報をユーザに知らせることのできるデータ記録装置を提供することである。
【課題を解決するための手段】
【０００９】
この発明のある局面に従うデータ記録装置は、少なくとも１つの周期記録予約情報に基づく複数の番組データを格納するための第１の記録媒体と、着脱可能な第２の記録媒体に対してデータの読み書きが可能な駆動手段と、複数の番組データをそれぞれ管理するための複数の管理情報を格納する記憶部とを備え、複数の管理情報は、各々、周期記録予約情報に対応する識別情報を含み、第１の記録媒体に格納されている複数の番組データに含まれる２以上の番組データを、第２の記録媒体に連続ダビングするためのダビング手段と、連続ダビングのための制御を行なうダビング制御手段とをさらに備える。ダビング制御手段は、複数の管理情報に含まれる識別情報のうちの１つをユーザに指定させるための指定手段と、指定された識別情報を含む管理情報を検索するための検索手段と、検索された管理情報に基づいて、対応する２以上の番組データの総容量を算出するための算出手段と、装着された第２の記録媒体の空き容量を取得するための取得手段と、総容量と空き容量との比較を行なうための比較手段と、比較の結果、総容量が空き容量以下である場合には、２以上の番組データを装着された第２の記録媒体へ連続ダビングさせるための手段と、比較の結果、総容量が空き容量を上回っている場合に、２以上の番組データ各々の容量と装着された第２の記録媒体の記録可能容量とに基づいて、２以上の番組データの、複数の第２の記録媒体への割り当てを決定するための決定手段と、決定された割り当てに基づいて、ダビング計画情報を表示させるための手段と、ユーザからの指示に応じて、割り当てに基づく２以上の番組データの連続ダビングを実行させるための実行手段とを含む。実行手段は、装着された第２の記録媒体へのダビングが終了した場合に、記録可能容量を有する新たな第２の記録媒体への交換を、ユーザに促すための手段と、新たな第２の記録媒体が装着されたか否かを判断するための手段と、新たな第２の記録媒体が装着されたと判断した場合に、割り当てに基づくダビングを続行させる手段とを有する。
【００１０】
この発明の他の局面に従うデータ記録装置は、複数のデータ、および、複数のデータをそれぞれ管理するための複数の管理情報を格納するための第１の記録媒体と、第２の記録媒体に対してデータの読み書きが可能な駆動手段と、ユーザからの指示に基づいて、第１の記録媒体に格納されている複数のデータに含まれる２以上のデータを、第２の記録媒体に連続ダビングするためのダビング手段と、連続ダビングのための制御を行なうダビング制御手段とを備え、ダビング制御手段は、２以上のデータの総容量を算出するための算出手段と、第２の記録媒体の空き容量を取得するための取得手段と、総容量と空き容量との比較を行なうための比較手段と、比較の結果、総容量が空き容量を上回っている場合に、ダビング計画情報を表示させるための表示手段とを含む。
【００１１】
好ましくは、第２の記録媒体は、着脱可能な記録媒体であり、取得手段は、装着された第２の記録媒体の空き容量を取得し、ダビング制御手段は、比較の結果、総容量が空き容量を上回っている場合に、２以上の番組データ各々の容量と装着された第２の記録媒体の記録可能容量とに基づいて、２以上の番組データの、複数の第２の記録媒体への割り当てを決定するための決定手段をさらに含み、表示手段は、決定された割り当てに基づいて、ダビング計画情報を表示させる。
【００１２】
好ましくは、ダビング制御手段は、ユーザからの指示に応じて、割り当てに基づく２以上のデータの連続ダビングを実行させるための実行手段をさらに含む。
【００１３】
好ましくは、実行手段は、装着された第２の記録媒体へのダビングが終了した場合に、記録可能容量を有する新たな第２の記録媒体が装着されたか否かを判断するための手段と、新たな第２の記録媒体が装着されたと判断した場合に、割り当てに基づくダビングを続行させる手段とを有する。
【００１４】
好ましくは、実行手段は、装着された第２の記録媒体へのダビングが終了した場合に、新たな第２の記録媒体への交換を、ユーザに促すための手段をさらに有する。
【００１５】
好ましくは、ダビング制御手段は、比較の結果、総容量が空き容量以下である場合には、２以上の番組データを第２の記録媒体へ連続ダビングさせるための手段をさらに含む。
【００１６】
好ましくは、複数の管理情報は、各々、識別情報を含み、ダビング制御手段は、複数の管理情報に含まれる識別情報のうちの１つをユーザに指定させるための指定手段と、指定された識別情報を含む管理情報を検索するための検索手段とをさらに含み、算出手段は、検索された管理情報に基づいて、対応する２以上のデータの総容量を算出する。
【００１７】
好ましくは、第１の記録媒体に格納されている複数のデータは、少なくとも１つの周期記録予約情報に基づく番組データであり、識別情報は、周期記録予約情報に対応する。
【発明の効果】
【００１８】
本発明によると、複数のデータのダビング先の記録媒体の空き容量が不足していれば、ダビング計画情報が表示される。したがって、ユーザは、ダビングを要求した時点で、複数のデータがどのようにダビングされるのかを把握することができる。
【発明を実施するための最良の形態】
【００１９】
本発明の実施の形態について図面を参照しながら詳細に説明する。なお、図中同一または相当部分には同一符号を付してその説明は繰返さない。
【００２０】
図１を参照して、本発明の実施の形態に係るデータ記録装置の一態様であるＤＶＤレコーダ１００について説明する。図１は、ＤＶＤレコーダ１００のハードウェア構成を表わすブロック図である。
【００２１】
ＤＶＤレコーダ１００は、各種データおよびプログラムを格納するためのメモリ１１２と、格納されているデータおよび外部から入力される指示に基づいて予め定められた処理を実行するためのシステム制御部１１０と、外部からユーザの指示の入力を受付けるための操作部１２２と、リモコン信号を受信して所定の制御信号をシステム制御部１１０に出力するための受光部１２４と、時刻を計測して信号をシステム制御部１１０に出力するための計時回路１２６と、ＤＶＤレコーダ１００の作動状態を表わす情報を表示するための表示部１２８とを含む。なお、表示部１２８に表示される作動状態とは、たとえば、ＤＶＤレコーダにおける時刻情報等である。
【００２２】
図１を再び参照して、ＤＶＤレコーダ１００はさらに、アンテナ１９０と、受信された電波から所定の電波を選択するためのチューナ１３０と、外部から映像および音声信号の入力を受付けるための外部入力部１３２と、入力される信号を所定の処理に基づいて圧縮するためのＭＰＥＧ（Moving Picture Experts Group）エンコーダ１５２と、システム制御部１１０からの指示に基づいてデジタルデータを格納するためのハードディスク装置１４０と、ＤＶＤ１７２を駆動して映像音声データを記録したり再生したりするためのＤＶＤ駆動装置１７０と、圧縮されている映像音声信号を復号化するためのＭＰＥＧデコーダ１５４と、映像の表示画面にＤＶＤレコーダ１００の作動状態その他の情報を表示する信号を生成するためのＯＳＤ（On Screen Display）画像生成回路１１４と、ＯＳＤ画像生成回路１１４により生成された信号とＭＰＥＧデコーダ１５４からの出力信号とを合成して出力するための合成回路１５８と、入力されるデジタル信号をアナログ信号に変換して出力するためのＤ／Ａ（Digital to Analog）変換部１６０と、伝送ケーブル１９２が接続可能であり映像音声信号を出力するための出力部１６８とを含む。ＤＶＤレコーダ１００は、伝送ケーブル１９２を介して、テレビ４００に接続されている。ハードディスク装置１４０は、データの記録と再生を行なうデータ記録再生ヘッド１４２と、データが記録されるハードディスク１４４とを含む。
【００２３】
本発明の実施の形態におけるＤＶＤレコーダ１００は、複数のデータの一括ダビング機能を有する。「一括ダビング機能」とは、１つのダビング操作で、複数のデータを連続的にダビングする処理を行なうことのできる機能である。
【００２４】
本実施の形態において、ダビング対象のデータを、チューナ１３０が受信した放送番組に基づく番組データであるものとして説明する。番組データには、映像データおよび音声データが含まれる。なお、ダビング対象のデータは、番組データに限られず、他の記録媒体から読み出された映像・音声データであってもよい。また、ダビング対象のデータは、映像データのみであってもよいし、音声データのみであってもよい。
【００２５】
以下に、本発明の実施の形態において、ハードディスク１４４に格納されている複数の番組データを、他の記録媒体、たとえば着脱可能なＤＶＤ１７２にダビングする際の処理について説明する。
【００２６】
ハードディスク１４４は、データ領域と管理領域とを含む。データ領域には、番組データが格納される。管理領域には、タイトル管理テーブルが所定の領域に格納される。タイトル管理テーブルは、データ領域に格納されている番組データごとの管理情報（以下「タイトル管理データ」という）を有する。
【００２７】
図２は、本発明の実施の形態におけるタイトル管理テーブルの構造例を示す図である。
図２を参照して、タイトル管理テーブルは、データ領域に記録された番組データを、番組（「タイトル」ともいう）ごとに管理するタイトル管理データＢｊ（ｊ＝１、２、３、…、ｍ）を有する。
【００２８】
タイトル管理データＢｊは、対応の番組データを特定するための情報として、録画日時データＤ１、チャンネルデータＤ２、録画時間長データＤ３、ビットレートデータＤ４およびタイトル名データＤ５を含む。
【００２９】
なお、本実施の形態では、図２に示したタイトル管理テーブルは、ハードディスク１４４内の管理領域に格納されるものとして説明するが、他の記憶部たとえばメモリ１１２に格納されてもよい。
【００３０】
図３および図４は、本発明の実施の形態における一括ダビングの処理を示すフローチャートである。図３および図４に示される処理は、ユーザにより、一括ダビングの指示が入力された場合に、システム制御部１１０により実行される処理である。また、図３に示される処理は、予めプログラムとしてメモリ１１２に格納されており、システム制御部１１０がこのプログラムを読み出して実行することにより、一括ダビング機能が実現される。
【００３１】
図３を参照して、はじめに、システム制御部１１０は、タイトル選択画面を表示する（ステップＳ１０２）。より具体的には、タイトル管理テーブルに含まれるタイトル管理データＢｊに基づき、タイトル名、録画日時およびチャンネルの情報が、録画日時が新しい順にテレビ４００に一覧表示される。
【００３２】
次に、システム制御部１１０は、タイトルが選択された否かを判断する（ステップＳ１０４）。タイトルが選択されるまで（ステップＳ１０４においてＮＯ）、ステップＳ１０４の判断を繰返す。ステップＳ１０４において、タイトルが選択されたと判断した場合（ステップＳ１０４においてＹＥＳ）、ステップＳ１０６に進む。
【００３３】
ステップＳ１０６において、システム制御部１１０は、選択されたタイトルの総容量（サイズ）を算出する。より詳細には、選択されたタイトルに対応するタイトル管理データＢｊにおける録画時間長データＤ３とビットレートデータＤ４とに基づき、各タイトルの容量を算出し、各タイトルの容量に基づいて、全タイトルの総容量を算出する。
【００３４】
続いて、システム制御部１１０は、挿入されているＤＶＤ１７２の空き容量を取得する（ステップＳ１０８）。挿入されているＤＶＤ１７２の空き容量は、たとえば、ＤＶＤ１７２の種類と、ＤＶＤ１７２に既に記録されているデータの容量とから得られる。
【００３５】
次に、システム制御部１１０は、ステップＳ１０６で算出した全タイトルの総容量と、ステップＳ１０８で取得したＤＶＤ１７２の空き容量とを比較する（ステップＳ１１０）。そして、システム制御部１１０は、比較の結果、容量不足か否かを判断する（ステップＳ１１２）。容量不足でないと判断された場合、すなわち、全タイトルの総容量がＤＶＤ１７２の空き容量以下である場合（ステップＳ１１２においてＮＯ）、ダビングを実行する（ステップＳ１１４）。より具体的には、ステップＳ１０４で選択された全ての番組データがハードディスク１４４から連続的に読み出されて、ＤＶＤ１７２にダビングされる。
【００３６】
一方、ステップＳ１１４において容量不足と判断された場合、すなわち、全タイトルの総容量がＤＶＤ１７２の空き容量を上回っている場合（ステップＳ１１２においてＹＥＳ）、ステップＳ１１６へ進む。
【００３７】
ステップＳ１１６において、システム制御部１１０は、ＤＶＤ１７２の記録可能容量と、各タイトルの容量とに基づき、タイトルの割り当てを決定する。つまり、システム制御部１１０は、まず、装着されているＤＶＤ１７２から得られるＤＶＤ１７２の種類に基づいて、ＤＶＤ１７２の記録可能な最大の容量（以下「記録可能容量」という）を検知する。そして、装着されているＤＶＤ１７２および記録可能容量を有する新たなＤＶＤ１７２に対して、それぞれどのタイトルを割り当てるかを決定する。複数のタイトルの割り当ては、たとえば、録画日時の古い順に決定される。あるいは、ユーザにより指定された順序に基づいて決定されてもよい。また、容量（サイズ）の大きい順に決定されてもよいし、各タイトルの容量に基づいてＤＶＤ１７２の個数を最小限にするように決定されてもよい。
【００３８】
次に、システム制御部１１０は、決定したタイトルの割り当てに基づき、ダビングスケジュールを表示する（ステップＳ１１８）。ダビングスケジュールの表示例を図５に示す。
【００３９】
図５を参照して、テレビ４００には、ダビング総時間の長さが両方向の矢印５１で示される。そして、たとえば４つのタイトルＴＡ，ＴＢ，ＴＣ，ＴＤをダビングするためには、タイトルＴＡおよびタイトルＴＢのダビングの後、ディスク（ＤＶＤ１７２）の交換が必要であることが表示される。つまり、ディスク（ｉ）にダビングするタイトルは、タイトルＴＡおよびタイトルＴＢであり、ディスク（ｉｉ）にダビングするタイトルは、タイトルＴＣおよびタイトルＴＤであることが示され、各ディスクにおけるダビング時間が矢印５１に対応するように、両方向の矢印５２．１，５２．２で示される。なお、図５に示されるタイトルＴＡ〜ＴＤは、各タイトルのタイトル名であるものとする。
【００４０】
また、テレビ４００には、表示中のダビングスケジュールに基づいてダビングを実行するか否かをユーザに選択させるための２つのボタン、“実行”ボタン５３および“中止”ボタン５４が表示される。
【００４１】
このように、本発明の実施の形態では、ユーザが複数のタイトルの一括ダビングを要求した場合に、装着されているＤＶＤ１７２に全てのタイトルがダビングできないときには、予定されるタイトルの割り当てをユーザに報知する。これにより、ユーザは、一括ダビングを要求した時点で、何枚のディスクにどのタイトルがそれぞれダビングされるのかを容易に把握することができる。また、“実行” ボタン５３および“中止”ボタン５４が表示されて、ユーザはいずれかを選択することができる。これにより、ダビングスケジュールが所望の割り当てでない場合には、ユーザは中止することも可能となる。このように中止可能とすることで、たとえば、１枚のディスクに収めたい場合には、装着中のＤＶＤ１７２の空き容量を増やしてから、再度一括ダビングを要求することができる。また、ダビング対象のタイトルの数を減らしてから、再度一括ダビングを要求することもできる。これらのことから、ユーザが望まない態様で、無駄にダビングが実行されてしまうことを防止することができる。
【００４２】
次に、図４を参照して、システム制御部１１０は、ユーザからの“実行”指示があったか否かを判断する（ステップＳ１２０）。ユーザから“実行”指示があった場合、すなわち、図５に示される“実行”ボタンが選択された場合、ステップＳ１２２に進む。一方、ユーザから“実行”指示がなかった場合、すなわち、たとえば図５に示される“中止”ボタンが選択された場合には、ダビングを実行することなくダビング処理は終了される。
【００４３】
ステップＳ１２２において、システム制御部１１０は、ダビングスケジュールに示したタイトルの割り当てに従い、ダビングを実行する。つまり、図５に示されるディスク（ｉ）に割り当てられているタイトルが、装着されているＤＶＤ１７２にダビングされる。
【００４４】
次に、システム制御部１１０は、１つのＤＶＤ１７２へのダビングが終了したか否かを判断する（ステップＳ１２４）。１つのＤＶＤ１７２へのダビングが終了するまで（ステップＳ１２４においてＮＯ）、ステップＳ１２２の処理を繰返す。
【００４５】
ステップＳ１２４において、１つのＤＶＤ１７２へのダビングが終了したと判断した場合（ステップＳ１２４においてＹＥＳ）、システム制御部１１０は、続いて、ステップＳ１０４で選択された全てのタイトルのダビングが終了したか否かを判断する（ステップＳ１２６）。全てのダビングが終了していない場合（ステップＳ１２６においてＮＯ）、システム制御部１１０は、ユーザに対してＤＶＤ１７２の入れ替えを促す（ステップＳ１２８）。たとえば、“新たなＤＶＤを挿入して下さい”というメッセージをテレビ４００に表示させてもよいし、音声を出力してもよい。または、ＤＶＤレコーダ１００の表示部１２８に、ディスクの交換を示すようなマークを表示させてもよい。
【００４６】
次に、システム制御部１１０は、装着されていたＤＶＤ１７２から新たなＤＶＤ１７２に入れ替えられたか否かを判断する（ステップＳ１３０）。入れ替えがあるまで（ステップＳ１３０においてＮＯ）、ステップＳ１２８の処理を繰返す。入れ替えがなされたと判断した場合（ステップＳ１３０においてＹＥＳ）、ステップＳ１２２に戻る。
【００４７】
一方、上記ステップＳ１２６において、全てのタイトルのダビングが終了したと判断した場合（ステップＳ１２６においてＹＥＳ）、一連のダビング処理は終了される。
【００４８】
なお、本実施の形態では、上記ステップＳ１１６において、タイトルの割り当てを決定することとしたが、この処理に替えて、装着されているＤＶＤ１７２にダビング可能なタイトルとダビング不可能なタイトルとの分類を行なうこととしてもよい。この場合、次のステップＳ１１８において、装着されているＤＶＤ１７２にダビング可能なタイトル名と、ダビング不可能なタイトル名とをダビングスケジュールとして表示してもよい。このようにすることで、ダビングが開始される前に、ユーザは、装着中のＤＶＤ１７２にどのタイトルがダビング可能であるかを知ることができる。したがって、この場合にも、上述のように、ユーザが望まない態様で、無駄にダビングが実行されてしまうことを防止することができる。
【００４９】
（変形例）
次に、本発明の実施の形態の変形例におけるデータ記録装置の一態様であるＤＶＤレコーダについて説明する。変形例におけるＤＶＤレコーダの構成および各動作については、実施の形態と同様である。したがって、ここでも図１に示したＤＶＤレコーダ１００と同じ符号を用いる。
【００５０】
上記実施の形態では、一括ダビングを要求する際、ユーザは、録画済みの複数の番組データ（タイトル）から一括ダビングしたい番組データを１つずつ選択するものであった。実施の形態の変形例では、関連性のある複数の番組データを、一括で選択することができる。これにより、関連性のある複数の番組データのダビングの要求を、簡単に行なうことができる。
【００５１】
「関連性のある複数の番組データ」とは、識別情報などで特定される複数の番組データであり、たとえば、１つのエピソード番号によって特定される複数の番組データなどである。エピソード番号については、後述する。
【００５２】
本発明の実施の形態の変形例におけるＤＶＤレコーダ１００は、エピソード予約録画機能を有する。「エピソード予約録画」とは、エピソード予約による番組データの録画をいう。「エピソード予約」とは、周期録画予約、すなわち、毎週月曜，毎日，毎週平日など各周期に基づいて複数の録画予約を一度に行なうことをいう。
【００５３】
ここで、エピソード予約録画について説明する。本実施の形態においては、放送番組に基づく番組データは、ハードディスク装置１４０によりハードディスク１４４に記録されるものとして説明する。
【００５４】
ハードディスク１４４の管理領域には、上述のタイトル管理テーブルと録画予約管理テーブルとが所定の領域に格納される。録画予約管理テーブルは、ユーザにより設定された録画予約情報（以下「録画予約管理データ）を有する。
【００５５】
図６は、本発明の実施の形態の変形例における録画予約管理テーブルの構造例を示す図である。
【００５６】
図６を参照して、録画予約管理テーブルは、録画予約管理データＡｉ（ｉ＝１、２、３、…、ｎ）を有する。録画予約管理データＡｉは、録画日時データＣ１、チャンネルデータＣ２、エピソード番号データＣ３および周期データＣ４を含む。
【００５７】
エピソード番号データＣ３は、エピソード予約を識別するための識別情報である。本実施の形態においては、識別情報として、ユーザによりエピソード予約が設定された場合に付与されるエピソード番号が格納される。このエピソード番号は、たとえば、エピソード予約の設定順に、数字（１，２，３，…）が付与される。したがって、録画予約管理データＡｉがエピソード予約に基づく管理データである場合にのみ、エピソード番号が記録される。なお、エピソード予約設定の際に、エピソード番号が所定の値（たとえば５０）に達した場合には、たとえば、初期値（１）に戻り、空いている数字が付与されるものとする。
【００５８】
周期データＣ４は、エピソード予約の周期を表わす周期情報である。周期データＣ４には、周期情報として、ユーザにより設定されたエピソード予約の内容に従って、たとえば、周期が毎日であれば“０”、周期が毎週日曜であれば“１”、周期が毎週月曜であれば“２”といった数字が格納される。
【００５９】
図７は、本発明の実施の形態の変形例におけるタイトル管理テーブルの構造例を示す図である。
【００６０】
図７を参照して、タイトル管理テーブルは、データ領域に記録された番組データを、番組（タイトル）ごとに管理するタイトル管理データＢ´ｊ（ｊ＝１、２、３、…、ｍ）を有する。
【００６１】
タイトル管理データＢ´ｊは、対応の番組データを特定するための情報として、実施の形態１におけるタイトル管理データＢｊに含まれた録画日時データＤ１、チャンネルデータＤ２、録画時間長データＤ３、ビットレートデータＤ４およびタイトル名データＤ５に加え、エピソード番号データＤ６を含む。
【００６２】
エピソード番号データＤ６は、エピソード予約により録画された番組データを識別するための識別情報である。本実施の形態の変形例においては、識別情報として、録画予約管理テーブルの録画予約管理データＡｉに含まれるエピソード番号データＣ３と同一のエピソード番号が格納される。なお、録画予約管理データＡｉのエピソード番号データＣ３におけるエピソード番号と、タイトル管理データＢ´ｊのエピソード番号データＤ６におけるエピソード番号は、エピソード番号データＣ３とエピソード番号データＤ６とが対応付けられていれば、必ずしも同一でなくてもよい。また、ここでは、いずれもエピソード番号で管理されるものとして説明するが、他の識別情報たとえば番組のタイトル名などにより管理されてもよい。
【００６３】
図８および図９は、本発明の実施の形態の変形例における一括ダビングの処理を示すフローチャートである。なお、上記した図３および図４のフローチャートに示される処理と同様の処理については、同じステップ番号を付し、ここでの説明は繰返さない。また、図８および図９に示される処理も、予めプログラムとしてメモリ１１２に格納されており、システム制御部１１０がこのプログラムを読み出して実行することにより、一括ダビング機能が実現される。
【００６４】
図８を参照して、はじめに、システム制御部１１０は、エピソード選択画面を表示する（ステップＳ２０２）。エピソード選択画面の表示例を図１０に示す。
【００６５】
図１０を参照して、テレビ４００には、エピソード管理データの内容に基づくエピソード一覧が、たとえばテーブル形式で表示される。図１０において、テーブルにおける列８１には、エピソード番号が表示され、列８２には、それぞれの周期内容が表示される。また、テーブルにおける列８３には、それぞれのタイトル数が表示され、列８４には、それぞれのタイトル名が表示される。たとえば、エピソード番号が“１”のエピソード管理データについては、列８２に「毎週月曜  ２１：００〜２２：００  ８ｃｈ」が表示され、列８３には、「７」が表示され、列８４には「ＡＢＣドラマ」が表示されている。そして、ユーザが、たとえば図示しないリモコンのカーソルキーおよび決定キーなどを操作することにより、１つのエピソード番号が選択される。
【００６６】
次に、システム制御部１１０は、エピソード番号が選択された否かを判断する（ステップＳ２０４）。エピソード番号が選択されるまで（ステップＳ２０４においてＮＯ）、ステップＳ２０４の判断を繰返す。ステップＳ２０４において、エピソード番号が選択されたと判断した場合（ステップＳ２０４においてＹＥＳ）、ステップＳ２０６に進む。
【００６７】
ステップＳ２０６において、システム制御部１１０は、選択されたエピソード番号に対応の全タイトルの総容量を算出する。より詳細には、まず、選択されたエピソード番号がエピソード番号データＤ６に格納されいているタイトル管理データＢ´ｊを全て検索する。そして、検索したタイトル管理データＢ´ｊにおける録画時間長データＤ３とビットレートデータＤ４とに基づき、各タイトルの容量を算出し、各タイトルの容量に基づいて、全タイトルの総容量を算出する。
【００６８】
ステップＳ２０６の処理が終わると、上記したステップＳ１０８へ進む。そして、ステップＳ１０８〜Ｓ１３０の処理を、実施の形態と同様に行ない、変形例における一括ダビング処理を終了する。
【００６９】
このように、実施の形態の変形例では、エピソード番号をユーザが指定するだけで、一括ダビングの処理が実行される。これにより、一括ダビングの操作性を向上させることができる。また、実施の形態と同様に、タイトルおよびＤＶＤ１７２の容量からタイトルの割り当てが決定され、ダビングスケジュールが表示される。これにより、ユーザは、一括ダビングを要求した時点で、指定したエピソード番号に対応するタイトルがどのように割り当てられるのかを把握することができる。
【００７０】
なお、上記ステップＳ２０４とＳ２０６との間に、選択されたエピソード番号に対応する複数のタイトルから、さらに一括ダビング対象のタイトルをユーザに選択させてもよい。この場合、たとえば、まず、選択されたエピソード番号がエピソード番号データＤ６に格納されいているタイトル管理データＢ´ｊを検索し、対応のタイトル一覧を表示する。そして、一覧表示された複数のタイトルのうち、ダビング対象のタイトルをユーザに選択させる。なお、この際、ダビングが済んでいるか否かの情報も表示させることが望ましい。したがって、タイトル管理データＢ´ｊにさらにこのような情報を含ませておくことが望ましい。
【００７１】
また、本実施の形態の変形例においては、一括ダビングの対象となる複数の番組データが、エピソード番号によって特定されるものとして説明したが、これに限らない。たとえば、ＥＰＧ（Electric Program Guide）によって取得されるジャンルやタレント名により特定されてもよい。
【００７２】
上述の実施の形態およびその変形例においては、ダビング先の記録媒体をＤＶＤ１７２として説明したが、ＤＶＤ１７２に限られず、たとえば、メモリカードやＣＤ（Compact Disc）などであってもよい。また、たとえばＵＳＢ（Universal Serial Bus）で接続可能な他機器にダビングするものであってもよい。
【００７３】
上記ＤＶＤ１７２の代わりに、プログラムを記録しているたとえば光学媒体等を駆動装置で読み出して、メモリ１１２のプログラムをアップデートすることもできる。
【００７４】
また、本発明のデータ記録装置が行なう、一括ダビングの方法を、プログラムとして提供することもできる。このようなプログラムは、ＣＤ−ＲＯＭ（Compact Disc-ROM）などの光学媒体や、メモリカードなどのコンピュータ読取り可能な記録媒体にて記録させて、プログラム製品として提供することもできる。また、ネットワークを介したダウンロードによって、プログラムを提供することもできる。
【００７５】
提供されるプログラム製品は、ハードディスクなどのプログラム格納部にインストールされて実行される。なお、プログラム製品は、プログラム自体と、プログラムが記録された記録媒体とを含む。
【００７６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７７】
【図１】本発明の実施の形態に係るＤＶＤレコーダのハードウェア構成を表わすブロック図である。
【図２】本発明の実施の形態におけるタイトル管理テーブルの構造例を示す図である。
【図３】本発明の実施の形態におけるダビング処理を示す第１のフローチャートである。
【図４】本発明の実施の形態におけるダビング処理を示す第２のフローチャートである。
【図５】図３のステップＳ１１８におけるダビングスケジュールの表示例を示す図である。
【図６】本発明の実施の形態の変形例における録画予約管理テーブルの構造例を示す図である。
【図７】本発明の実施の形態の変形例におけるタイトル管理テーブルの構造例を示す図である。
【図８】本発明の実施の形態の変形例におけるダビング処理を示す第１のフローチャートである。
【図９】本発明の実施の形態の変形例におけるダビング処理を示す第２のフローチャートである。
【図１０】図１０のステップＳ２０２におけるエピソード選択画面の表示例を示す図である。
【符号の説明】
【００７８】
１００  ＤＶＤレコーダ、１１０  システム制御部、１１２  メモリ、１１４  ＯＳＤ画像生成回路、１２２  操作部、１２４  受光部、１２６  計時回路、１２８  表示部、１３０  チューナ、１３２  外部入力部、１４０  ハードディスク装置、１４２  データ記録再生ヘッド、１４４  ハードディスク、１５２  ＭＰＥＧエンコーダ、１５４  ＭＰＥＧデコーダ、１５８  合成回路、１６０  Ｄ／Ａ変換部、１６８  出力部、１７０  ＤＶＤ駆動装置、１７２  ＤＶＤ、１９０  アンテナ、４００  テレビ。
【図１】
2007012174.tif 000003
【図２】
2007012174.tif 000004
【図３】
2007012174.tif 000005
【図４】
2007012174.tif 000006
【図５】
2007012174.tif 000007
【図６】
2007012174.tif 000008
【図７】
2007012174.tif 000009
【図８】
2007012174.tif 000010
【図９】
2007012174.tif 000011
【図１０】
2007012174.tif 000012